(57)【特許請求の範囲】
【請求項１】
底部を囲むように配設された４つの側壁が、底部に重なるように折り畳むことができる折り畳みコンテナーにおいて、少なくとも、一方の相対する側壁のうちの一方の側壁の先端部には、複数の凸部が形成されているとともに、前記凸部間には、凹部が形成されており、且つ、前記一方の側壁の一方の端部には、切り欠き部が形成されており、前記一方の相対する側壁のうちのもう一方の側壁の先端部にも、同様に、複数の凸部が形成されているとともに、前記凸部間には、凹部が形成されており、且つ、前記もう一方の側壁の一方の端部には、切り欠き部が形成されており、前記一方の側壁と前記もう一方の側壁とが立てられた際には、前記一方の側壁に形成された凸部が、前記もう一方の側壁に形成された凹部及び切り欠き部と相対するように配置されているとともに、前記もう一方の側壁に形成された凸部が、前記一方の側壁に形成された凹部及び切り欠き部と相対するように配置されており、前記一方の側壁と前記もう一方の側壁とが倒された際には、前記一方の側壁に形成された凸部が、前記もう一方の側壁に形成された凹部及び切り欠き部に挿入され、また、前記もう一方の側壁に形成された凸部が、前記一方の側壁に形成された凹部及び切り欠き部に挿入されるように構成されていることを特徴とする折り畳みコンテナー。
【発明の詳細な説明】
【０００１】
【発明の属する技術分野】
本発明は、底部を囲むように配設された４つの側壁が、底部に重なるように折り畳むことができる折り畳みコンテナーに関するものである。
【０００２】
【従来の技術】
図４〜図６を用いて、従来の折り畳みコンテナーについて説明する。
【０００３】
１は、合成樹脂で一体に成形された、平面形状が長方形状の底部であり、底部１には、適当なヒンジ結合を介して、相対するように、長側壁２ａ、２ｂが連結されており、また、同様に、適当なヒンジ結合を介して、相対するように、短側壁３ａ、３ｂが連結されている。長側壁２ａ、２ｂ及び短側壁３ａ、３ｂも、合成樹脂で一体に成形される。
【０００４】
図４に示されているように、箱型に組み立てられた状態の折り畳みコンテナーを折り畳むには、先ず最初に、短側壁３ａ、３ｂを折り畳みコンテナーの内側に倒して、図５に示されているように、底部１の上に重ねる。次いで、同じく、長側壁２ａ、２ｂを折り畳みコンテナーの内側に倒して、図６に示されているように、底部１及び短側壁３ａ、３ｂの上に重ねる。逆に、図６に示されている折り畳まれた状態から、図３に示されているように組み立てるには、底部１及び短側壁３ａ、３ｂの上に重ねられた状態の長側壁２ａ、２ｂを垂直に立て、次いで、短側壁３ａ、３ｂを垂直に立てて、折り畳みコンテナーを箱型に組み立てる。
【０００５】
【発明が解決しようとする課題】
上述した従来の折り畳みコンテナーにおいては、折り畳んだ際に、折り畳まれた長側壁２ａ、２ｂの先端部分が重なり合ったりしないようにするためには、長側壁２ａ、２ｂの高さは、最大限、底部１の短辺１ａの長さの略半分にする必要があった。従って、従来の折り畳みコンテナーにおいては、組み立てられた折り畳みコンテナーの深さを深くすることができず、物品が収容される内容積が小さいという問題があった。
【０００６】
本発明の目的は、上述した従来の折り畳みコンテナーが有する課題を解決することにある。
【０００７】
【課題を解決するための手段】
本発明は、上述した目的を達成するために、底部を囲むように配設された４つの側壁が、底部に重なるように折り畳むことができる折り畳みコンテナーにおいて、少なくとも、一方の相対する側壁のうちの一方の側壁の先端部には、複数の凸部が形成されているとともに、前記凸部間には、凹部が形成されており、且つ、前記一方の側壁の一方の端部には、切り欠き部が形成されており、前記一方の相対する側壁のうちのもう一方の側壁の先端部にも、同様に、複数の凸部が形成されているとともに、前記凸部間には、凹部が形成されており、且つ、前記もう一方の側壁の一方の端部には、切り欠き部が形成されており、前記一方の側壁と前記もう一方の側壁とが立てられた際には、前記一方の側壁に形成された凸部が、前記もう一方の側壁に形成された凹部及び切り欠き部と相対するように配置されているとともに、前記もう一方の側壁に形成された凸部が、前記一方の側壁に形成された凹部及び切り欠き部と相対するように配置されており、前記一方の側壁と前記もう一方の側壁とが倒された際には、前記一方の側壁に形成された凸部が、前記もう一方の側壁に形成された凹部及び切り欠き部に挿入され、また、前記もう一方の側壁に形成された凸部が、前記一方の側壁に形成された凹部及び切り欠き部に挿入されるように構成したものである。
【０００８】
【実施例】
以下に、本発明の実施例について説明するが、本発明の趣旨を越えない限り何ら、本実施例に限定されるものでない。
【０００９】
上述した従来の折り畳みコンテナーと同様に、本発明の折り畳みコンテナーも、平面形状が長方形状の底部１０と、底部１０に、適当なヒンジ結合を介して、相対するように連結された長側壁２０ａ、２０ｂと、同様に、底部１０に、適当なヒンジ結合を介して、相対するように連結された短側壁３０ａ、３０ｂとから構成されている。
【００１０】
そして、本発明の折り畳みコンテナーにおいても、図１に示されている箱型に組み立てられた状態の折り畳みコンテナーを折り畳むには、短側壁３０ａ、３０ｂを折り畳みコンテナーの内側に倒して、図２に示されているように、底部１０の上に重ね、次いで、同じく、長側壁２０ａ、２０ｂを折り畳みコンテナーの内側に倒して、図３に示されているように、底部１０及び短側壁３０ａ、３０ｂの上に重ねる。逆に、図３に示されている折り畳まれた状態から、図１に示されているように組み立てるには、底部１０及び短側壁３０ａ、３０ｂの上に重ねられた状態の長側壁２０ａ、２０ｂを垂直に立て、次いで、短側壁３０ａ、３０ｂを垂直に立てて、折り畳みコンテナーを箱型に組み立てる。
【００１１】
長側壁２０ａ、２０ｂの一方の長側壁２０ａの先端部には、同じ高さを有する複数の略台形状の凸部２１が形成されており、凸部２１間には、略逆台形状の凹部２２ａが形成されているとともに、長側壁２０ａの一方の端部には、切り欠き部２２ｂが形成されている。同様に、もう一方の長側壁２０ｂの先端部にも、同じ高さを有する複数の略台形状の凸部２３が形成されており、凸部２３間には、略逆台形状の凹部２４ａが形成されているとともに、長側壁２０ｂの一方の端部には、切り欠き部２４ｂが形成されている。そして、一方の長側壁２０ａに形成された凸部２１は、もう一方の長側壁２０ｂに形成された凹部２４ａ及び切り欠き部２４ｂと相対するように配置されており、また、もう一方の長側壁２０ｂに形成された凸部２３は、一方の長側壁２０ａに形成された凹部２２ａ及び切り欠き部２２ｂと相対するように配置されている。
【００１２】
短側壁３０ａ、３０ｂの上端３０ａ’、３０ｂ’高さは、長側壁２０ａ、２０ｂに形成された凸部２１、２３の上端２１’、２３’と一致するように構成されている。
【００１３】
そして、上述したように、組み立てられた状態の折り畳みコンテナーを折り畳む際には、短側壁３０ａ、３０ｂを内側に倒して、底部１０の上に重ねた後に、、長側壁２０ａ、２０ｂを内側に倒して、底部１０及び短側壁３０ａ、３０ｂの上に重ねるが、図３に示されているように、重ねられた一方の長側壁２０ａに形成された凸部２１は、重ねられたもう一方の長側壁２０ｂに形成された凹部２４ａ及び切り欠き部２４ｂに挿入され、また、重ねられた一方の長側壁２０ｂに形成された凸部２３は、重ねられたもう一方の長側壁２０ａに形成された凹部２２ａ及び切り欠き部２２ｂに挿入されるように構成されている。
【００１４】
このように構成することにより、上述した従来の長側壁２ａ、２ｂ及び短側壁３ａ、３ｂの高さに比べ、長側壁２０ａ、２０ｂ及び短側壁３０ａ、３０ｂの高さを高くすることができるので、実質的に、組み立てられた折り畳みコンテナーの深さを深くすることができ、物品が収容される内容積を大きくすることができる。
【００１５】
なお、長側壁２０ａ、２０ｂの先端部に形成される凸部２１、２３の形状、凹部２２ａ、２４ａ及び切り欠き部２２ｂ、２４ｂの形状は、凸部２１、２３が、凹部２２ａ、２４ａ、切り欠き部２２ｂ、２４ｂに挿入できるものであれば、半円形状や三角形状や波形状等の種々の形状に形成することができる。
【００１６】
また、上述した実施例には、長側壁２０ａ、２０ｂの端部に切り欠き部２２ｂ、２４ｂが形成されている例が示されているが、このような切り欠き部２２ｂ、２４ｂを設けることなく、全てを凹部或いは凸部とすることもできる。上述したように、長側壁２０ａ、２０ｂの端部に切り欠き部２２ｂ、２４ｂを形成することにより、一方の長側壁２０ａともう一方の長側壁２０ｂの形状を、全く同一にすることができ、従って、１つの金型で、両方の長側壁２０ａ、２０ｂを成形することができる。
【００１７】
また、底部１０の平面形状が正方形の場合には、長側壁２０ａ、２０ｂ及び短側壁３０ａ、３０ｂは、同じ大きさに形成されることになるが、このような場合には、相対する側壁の先端部に、上述したような凸部、凹部及び切り欠き部を形成することにより、組み立てられた折り畳みコンテナーの深さを、実質的に、深くすることができ、物品が収容される内容積を大きくすることができる。
【００１８】
【発明の効果】
本発明は、以上説明した構成を有しているので、以下に記載する効果を奏するものである。
【００１９】
実質的に、組み立てられた折り畳みコンテナーの深さを深くすることができ、物品が収容される内容積を大きくすることができる。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は本発明の折り畳みコンテナーの折り畳まれた状態の斜視図である。
【図４】図４は従来の折り畳みコンテナーの組み立てられた状態の斜視図である。
【図５】図５は従来の折り畳みコンテナーの折り畳み途中の斜視図である。
【図６】図６は従来の折り畳みコンテナーの折り畳まれた状態の斜視図である。
【符号の説明】
１０・・・・・・・・・・底部
２０・・・・・・・・・・長側壁
３０・・・・・・・・・・短側壁
２１、２３・・・・・・・凸部
２２ａ、２４ａ・・・・・凹部
２２ｂ、２４ｂ・・・・・切り欠き部
【図１】
0004213324.tif 000002
【図２】
0004213324.tif 000003
【図３】
0004213324.tif 000004
【図４】
0004213324.tif 000005
【図５】
0004213324.tif 000006
【図６】
0004213324.tif 000007